(57)【特許請求の範囲】
【請求項１】
原稿読取り手段と、
原稿センサを有し、前記原稿読取り手段に原稿を入力する原稿送り手段と、
前記原稿送り手段の開閉を検出する開閉検出手段と、
動作パラメータを入力するためのパラメータ入力手段と、
前記パラメータ入力手段により入力された第１の複数パラメータを参照し、第１の機能を用いて画像を構成する第１制御手段と、
前記パラメータ入力手段により入力された第２の複数パラメータを参照し、第２の機能を用いて画像を構成する第２制御手段と、
前記第１及び第２制御手段により共通に参照される共用パラメータを格納する共通テーブルと、
前記開閉検出手段の検出結果を前記共通テーブルに前記共用パラメータとして格納する手段と、
前記原稿センサ及び前記開閉検出手段の検出結果に基づいて、前記原稿読取り手段上に原稿が置き忘れられたことを検出する手段と、
を具備することを特徴とする画像形成装置。
【請求項２】
前記第１の機能は複写機能であって、前記第２の機能はファクシミリ機能であることを特徴とする請求項１記載の画像形成装置。
【請求項３】
前記第１の機能は原稿を走査して原稿が像データを提供するスキャナであって、前記第２の機能は入力コードに対応する画像を形成するプリンタであることを特徴とする請求項３記載の画像形成装置。
【請求項４】
前記共用パラメ−タとして選択可能給紙段情報が設けられ、手差トレイ内に原稿があるか否かを判断する手段を有し、該トレイ内に用紙がある場合、前記選択可能給紙段情報には手差しトレイが追加されることを特徴とする請求項１記載の画像形成装置。
【発明の詳細な説明】
【０００１】
【発明の属する技術分野】
本発明はファクシミリ機能等を含む複合画像形成装置に関する。
【０００２】
【従来の技術】
従来、画像データを受信又は読み取る機能、及び他の複数の機能を備えた複合画像形成装置では、原稿画像の読み取り方法（以下原稿入力方法とする）は、機能切換の度にクリアされていた。
【０００３】
【発明が解決しようとする課題】
従来、画像形成装置では、原稿入力方法は自動原稿送り装置による入力と、手置き入力の２通りある。この入力方法は、印刷開始後に決定され、次の印刷開始時に、設定された入力方法と比較して、この入力方法をみて、原稿置き忘れ警告を表示していた。ただし、この入力方法は、機能切り換えの度にクリアされていたため、機能切り換えが起こると、原稿置き忘れ検知ができなくなってしまうという問題があった。そのため、画像形成装置原稿入力時の操作性が著しく低下してしまっていた。
【０００４】
本発明は、上記課題を解決すべくなされたもので、その目的は、ファクシミリ機能等の機能を含む複合画像形成装置において、機能を切替えた場合、以前の機能で用いていた原稿入力方法（即ち読取り方法）と同じ方法で、原稿を読取ることができる画像形成装置を提供することである。
【０００５】
【課題を解決するための手段】
上記目的を達成するため、本発明の画像形成装置は、機能切り替え時において、画像入力方法を引き継ぐことによって、同じ入力方法で、あらゆる機能を使用することができる。
【０００６】
即ち本発明による画像形成装置は、原稿読取り手段と、原稿センサを有し、前記原稿読取り手段に原稿を入力する原稿送り手段と、前記原稿送り手段の開閉を検出する開閉検出手段と、動作パラメータを入力するためのパラメータ入力手段と、前記パラメータ入力手段により入力された第１の複数パラメータを参照し、第１の機能を用いて画像を構成する第１制御手段と、前記パラメータ入力手段により入力された第２の複数パラメータを参照し、第２の機能を用いて画像を構成する第２制御手段と、前記第１及び第２制御手段により共通に参照される共用パラメータを格納する共通テーブルと、前記開閉検出手段の検出結果を前記共通テーブルに前記共用パラメータとして格納する手段と、前記原稿センサ及び前記開閉検出手段の検出結果に基づいて、前記原稿読取り手段上に原稿が置き忘れられたことを検出する手段と、を具備する。
【０００９】
更に前記共用パラメ−タとして選択可能給紙段情報が設けられ、手差トレイ内に原稿があるか否かを判断する手段を有し、該トレイ内に用紙がある場合、前記選択可能給紙段情報には手差しトレイが追加される。
【００１０】
【発明の実施の形態】
以下、この発明の実施の形態について図面を参照して説明する。
図１は、この発明が適用される複合画像形成装置としてのデジタル複写機の全体構成を概略的に示すものである。このデジタル複写機１はスキャナ２及びプリンタ（レーザエンジン）３を備え、上部に自動原稿送り装置（ＡＤＦ）４を装着している。
【００１１】
自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。
【００１２】
カバー本体２１の上面やや右方向部位には、複数枚の原稿を一括保持し得る原稿給紙台２２が設けられている。装置の一端側には、原稿を順次一枚ずつ取出し原稿台５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。
【００１３】
原稿台５の上面には、これを覆う原稿搬送ベルト３７が張設されている。原稿搬送ベルト３７は、一対のベルトローラ４０、４０に掛渡された外表面が白色の幅広無端ベルトからなり、ベルト駆動機構（図示しない）によって正逆両方向に走行し得る構成となっている。又、原稿搬送ベルト３７の内周部の裏面側にはベルト面を原稿台５上に押さえ付けるための複数のベルト押えローラ４１…及び自動原稿送り装置４の開閉状態を検知するセットスイッチ（図示せず）が設けられている。
【００１４】
そして、前記給送手段２３によって給送された原稿を、原稿台５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。又、原稿排出路には、原稿を表裏逆にして原稿台５に導くためにゲート４９が設けられ、原稿を両面複写可能としている。
【００１５】
読取手段としてのスキャナ２は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、及びＣＣＤセンサ１１の出力つまり画像データ（情報）をアナログデータからデジタルデータに変換するＡ／Ｄ変換部  （図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これによりレンズ１０までの光路長が一定になるように走査できるようになっている。上記レンズ１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ７、９、ミラー１２ａ、１２ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００１６】
６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００１７】
画像形成手段としてのプリンタ３は、たとえばレーザ光学系と転写紙に画像形成が可能な電子写真方式を組み合せている。すなわち、プリンタ３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、クリーニング前除電チャージャ５７、クリーナ５８、除電ランプ５９、及び帯電チャージャ６１が順に配置されている。感光体ドラム５０は、帯電チャージャ６１によって一様に帯電されるようになっているとともに、スキャナ２からレーザ光を出力して前記感光体ドラム５０上に原稿の画像を結像し、静電潜像が形成されるようになっている。
【００１８】
そして、前記感光体ドラム５０上に形成された静電潜像は、現像装置５４により現像され、後述する給紙手段としての給紙カセット３０から給紙ローラ２０、アライニングローラ２５を介して送紙されるコピ−用紙（被画像形成媒体）Ｐ上に現像画像を転写チャージャ５５により転写される。この転写チャージャ５５による転写後のコピ−用紙Ｐは、剥離チャージャ５６のＡＣコロナ放電により剥離されて、搬送ベルトを介して定着器７１に搬送され、この定着器７１によって現像画像が溶融定着されたコピ−用紙Ｐは、排紙ロ−ラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００１９】
一方、前記コピ−用紙Ｐへの現像画像の転写・剥離後の感光体ドラム５０上に残留した現像剤は、クリーニング前除電チャージャ５７で予め除電された後、クリーナ５８により清掃され、除電ランプ５９により感光体ドラム５０上の電位が一定のレベル以下にされ、次のコピ−動作を可能にしている。
【００２０】
なお、コピ−用紙Ｐの両面に印刷する両面コピ−の場合には、前述した定着器７１によって現像画像が溶融定着されたコピ−用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャ−ジャ５５に搬送され印刷されていない他方の面に現像画像が転写される。又、トレイ７５ｂの下部には、光反射型の紙センサ７５ｄが設けられ、トレイ７５ｂ上にスタックされる用紙の有無が検知される。
【００２１】
又、搬送路７５ａ、トレイ７５ｂ、搬送路７５ｃ、及び紙センサ７５ｄとから自動両面反転機構としての自動両面装置（ＡＤＤ）７５が構成されている。
又、図中３０は前記装置本体１のフロント側より着脱自在に上下複数段に装着された給紙手段としての給紙カセットである。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（又は分離パッド）８５とからなる用紙分離部にて一枚ずつ分離されて、プリンタ３に向け搬送されるようになっているものである。
【００２２】
又、装置本体の右サイド側には、着脱自在に装着された手差しトレイ４３と大容量給紙装置（ＬＣＦ）４７とが設けられている。手差しトレイ４３に収納されたコピー用紙Ｐは、ピックアップローラ４３ａにて最上層からピックアップされて取り出されるようになっている。このピックアップローラ４３ａにて取り出されて手差しトレイ４３の取出し端部側に送り込まれたコピー用紙Ｐは、手差しトレイ４３の取出し端部の内側上方に設置された給紙ローラ４３ｂと分離ローラ４３ｃとからなる用紙分離部にて一枚ずつ分離されて、プリンタ３に向け搬送されるようになっている。ＬＣＦ４７に収納されたコピー用紙Ｐは、ピックアップローラ４７ａにて最上層からピックアップされて取り出されるようになっているこのピックアップローラ４７ａにて取り出されてＬＣＦ４７の取出し端部側に送り込まれたコピー用紙Ｐは、ＬＣＦ４７の取出し端部の内側上方に設置された給紙ローラ４７ｂと分離ローラ４７ｃとからなる用紙分離部にて一枚ずつ分離されて、プリンタ３に向け搬送されるようになっている。
【００２３】
次に、図２乃至図６を参照してデジタル複写機１の制御系について説明する。図２はコピー機能、ファクシミリ機能、プリンタ機能を備えたデジタル複写機１の制御系の全体構成を示し、図３はスキャナ２を、図４は基本部ＣＰＵ９３を、図５はプリンタ３を、図６はファクシミリ９０Ａを個別に示す。
【００２４】
図２において、電話回線９０から受信したファクシミリの受信原稿データはファクシミリ９０Ａを通じて圧縮／伸張回路９８に転送され、符号変換された受信データがページメモリとしての画像メモリ９７に蓄積される。ファクシミリの受信原稿印刷の際は、基本部ＣＰＵ９３のジョブ管理プログラムによりプリンタ部３が使用されていないことを確認後、画像メモリ９７から画像Ｉ／Ｆ９９を通じて画像形成リソースである画像処理手段９５及びプリンタ部３を使用して印刷っが行われる。
【００２５】
プリンタとしての動作は先ず外部装置たとえばパーソナルコンピュータ（ＰＣ）９４からの印刷データをプリンタＩ／Ｆ９４Ａを通じて画像メモリ９７に蓄積する。次に基本部ＣＰＵ９３のジョブ管理プログラムによりプリンタ部３が使用されていないことを確認後、画像メモリ９７から画像Ｉ／Ｆ９９を通じて画像形成リソース９５、３を使用して印刷が行われる。
【００２６】
スキャナ２は図３に示すように構成される。図４に示すエンジンＣＰＵ１９０はスキャナ２に接続され、スキャナ２における露光ランプ６を制御するランプ制御部１６４、走査モータ１６６を制御するモータドライバ１６８、原稿サイズ検知センサ１６９を含むセンサ、スイッチ、ソレノイド類１７０を駆動制御する駆動部１７２を制御する。又エンジンＣＰＵ１９０は、光電素子としてのＣＣＤセンサ１１からの画像情報について画像処理するためのＡ／Ｄ変換回路１７６、解像度変換回路１７８、シェーディング補正回路１７９、画質改善回路１８０、２値化回路１８２に接続されこれらを制御する。
【００２７】
制御手段である基本部ＣＰＵ９３は図４のように構成される。システムＣＰＵ１００には、ＲＯＭ１０２、ＲＡＭ１０４、画像メモリ１０６、タイマメモリ１０８、暗証コードメモリ１１０、タイマ１１２が接続されている。
【００２８】
又、システムＣＰＵ１００には、エンジンＣＰＵ１９０、及びファクシミリ９０Ａとが接続されている。このエンジンＣＰＵ１９０は、スキャナ２とプリンタ３とを制御するものである。
【００２９】
次に、図５を参照してプリンタ３について詳細に説明する。エンジンＣＰＵ１９０には、プリンタ３におけるメインモータ１９２を駆動するメインモータドライバ１９４、紙サイズ検知センサ１９５を含むセンサ、スイッチ、ソレノイド類１９６を駆動制御する駆動部１９８、定着器７１の定着ランプ２００を制御する定着ランプ制御部２０２、帯電チャ−ジャ５９、転写チャージャ５５、剥離チャージャ５６、ＰＣＣチャージャ５７を制御する高圧出力制御部２１２、除電ランプ５８を制御する除電ランプ制御部２１６、給紙ローラ２０、ピックアップローラ８１用の給紙モータ２２２を制御する給紙制御部２２４、レーザダイオード６０、及びポリゴンモータ２２８用のレーザ駆動回路２３０を制御する変調回路２３２が接続されている。エンジンＣＰＵ１９０は、それぞれ接続されている各部を制御する。高圧出力制御部２１２と帯電チャ−ジャ５９、転写チャージャ５５剥離チャージャ５６、ＰＣＣチャージャ５７との間には、それぞれ高圧トランス５９ａ，５５ａ，５６ａ，５７ａが設けられている。
【００３０】
次に、ファクシミリの送信手段と受信手段としてのファクシミリ９０Ａについて図６を参照して説明する。ファクシミリ９０Ａは公衆回線たとえば電話線に接続され、アナログ回線接続のための変復調装置であるモデム２４２、２値画像データの符号化／復号化装置であるＣＯＤＥＣ２４４，２４６、通信制御プログラム用のＥＰＲＯＭ２４８、画像データの記憶手段であってバッテリ２５０にバックアップされた疑似ＳＲＡＭ２５２、画像データの各種処理を行う際に用いられるワークＲＡＭ２５４、増設メモリ２５６、及びファクシミリ受信データを画像処理部３１４に出力するインタフェース用のＡＳＩＣ２５８とから構成されている。  図７は、操作手段としての操作パネル９１の構成を示すものである。すなわち操作パネル９１は、ＨＥＬＰキー１３０、自動用紙選択キー１３１、自動倍率選択キー１３２、ズーム／１００％キー１３３、用紙サイズキー１３４、ＬＣＤパネル１３５、予熱キー１３６、割り込みキー１３７、オールクリアキー１３８、クリア／ストップキー１３９、スタートキー１４０、テンキー１４１、ポーズキー１４２、トータルカウンター表示器１４３、及びクリップ受け１４４などから構成されている。
【００３１】
又、線Ｄで囲まれている３個の表示器は図８に示すように、コピー状態を示す表示器Ｄ１，ファックスの受信原稿あり、通信中、アラームの動作状態を示す表示器Ｄ２，及びプリンタのデータ有りとアラームの状態を示す表示器Ｄ３である。
【００３２】
ＬＣＤパネル１３５は、各種の絵文字が点滅・表示され、複写機の状態を表わす。
ＨＥＬＰキー１３０は、操作ガイドキーとして押下されると、操作手順を示すメッセージがＬＣＤパネル１３５上に表示され、機能設定後に押すと設定内容をやはりＬＣＤパネル１３５上で確認することができる。
【００３３】
自動用紙選択キー１３１は、通常自動用紙選択モードになっている。原稿台  （ガラス）５上にセットした原稿のサイズを自動的に検出し、それと同じサイズの用紙を自動的に選択する（等倍コピーのみ）。
【００３４】
自動倍率選択キー１３２は、このキーを押して自動倍率選択モードを選び希望する用紙サイズを指定すると、原稿台（ガラス）５上にセットした原稿のサイズを検出し、自動的にコピー倍率を計算する。
【００３５】
ズーム／１００％キー１３３は、左端の「２５％＜」キーを押すと、コピー倍率は１％きざみで２５％まで小さくなる。右端の「＞８００％」キーを押すと、コピー倍率は１％きざみで８００％まで大きくなる。中央の「１００％」キーを押すと等倍（１００％）に戻る。
【００３６】
用紙サイズキー１３４は、用紙サイズを選択するときに使用する。
ＬＣＤパネル１３５は、デジタル複写機１の状態、操作手順及びユーザに対する各種の指示を文字と絵で表示する。表示手段としてのＬＣＤパネル１３５はタッチパネルを内蔵し、機能の設定も行うことができる。
【００３７】
予熱キー１３６は、このキーを押すと、予熱（節電）状態に入りすべての表示ランプが消える。再びコピーをとるときは、もう一度このボタンを押す。
割り込みキー１３７は、連続コピーの途中で、割り込みコピーをとりたいとき等に使用する。
【００３８】
オールクリアキー１３８は、このキーを押すと、選択したモードがすべてクリアされ、標準状態に戻る。
クリア／ストップキー１３９は、コピー枚数を訂正するとき、又はコピー動作を停止させるときに使用する。
【００３９】
スタートキー１４０は、コピーを開始するときなどに押す。
テンキー１４１は、コピーしたい枚数をセットするときに使用する。コピー枚数は１〜９９９枚までセットできる。
【００４０】
ポーズボタン１４２はコピー動作の途中でその動作を一時中断するための操作ボタンである。
トータルカウンタ表示器１４３は機械据付後の合計のコピー枚数を表示する。
【００４１】
クリップ受け１４４はコピーする原稿から外したクリップを置くための場所でマグネットが付いている。
図９は上記画像形成装置において、本発明に係る構成部を抽出して示した図である。
【００４２】
操作パネル９１はタッチパネル、ハードキー等を備え、画像形成装置における表示及び操作はこの操作パネルで行われる。この操作パネル９１に対する入力／出力を制御するのが表示制御部９２である。
【００４３】
ユーザインタフェース制御部（複写）１５３、ユーザインタフェース制御部（ＦＡＸ）１５４、ユーザインタフェース制御部（プリンタ）１５５はＲＯＭ１０２内に構成され、タッチパネル１３５の画面制御、エンジン制御部１９０への動作指示、操作禁止／許可の判断を行う。共通テーブル１５６はＲＡＭ１０４内に構成され、各ユーザインタフェース制御部に登録されているパラメータを参照／書き込みできるテーブルである。ここに本発明の共用パラメータレジスタ１５７が設けられている。このレジスタ１５７には一実施例において「原稿入力方法」、即ち原稿が原稿台５上に供給される方法が設定される。
【００４４】
以下、本発明の動作の１例を図１０乃至図１５を参照して説明する。
図１０は原稿入力情報に関する警告処理の一例を示す。まず、電源がオンされた後、原稿入力方法は不定として初期化される（ステップＳ１）。印刷開始（スタートボタン押下）後、自動原稿送り装置のトレイ上に原稿があるかどうか判別する（ステップＳ３）。自動原稿送り装置のトレイ上に原稿がないときは入力方法が「手置き」と判断され、共用パラメータレジスタ（原稿入力方法）１５７が「手置き」に対応するデータに設定される（ステップＳ４）。自動原稿送り装置のトレイ上に原稿があるときは「自動原稿送り装置（ＡＤＦ）」と判断され、共用パラメータレジスタ１５７が「自動原稿送り装置」に対応するデータに設定される（ステップＳ５）。
【００４５】
図１１及び図１２に２度目以降のコピー処理の一例を示す。先ず、自動原稿送り装置が開け閉めされたかどうかを判断し（ステップＳ６）、開け閉めされていたら、原稿入力方法を示す共用パラメータレジスタ１５７を不定に設定する（ステップＳ７）。このように共用パラメータレジスタ１５７が不定に設定された場合は、図１０のステップＳ３乃至ステップＳ５のように原稿入力方法を再設定する。
【００４６】
印刷開始（スタートポタン押下）時に、共用パラメータレジスタ１５７がチェックされる（ステップＳ９）。原稿入力方法が手置きで、かつ自動原稿送り装置装置のトレイ上に原稿がなければ（ステップＳ１１）、警告は行なわれない。原稿送り装置上に原稿があれば、原稿が置き忘れられていると判断し、警告を表示し（ステップＳ１３）、印刷開始（スタートボタン）の受け付けを禁止する（ステップＳ１４）。
【００４７】
又ステップＳ１０の判断結果がＮＯで、図１２のステップＳ１５において原稿入力方法が原稿送り装置（ＡＤＦ）の場合（ＹＥＳの場合）で、且つステップＳ１６で自動原稿送り装置のトレイ上に原稿がない場合は警告処理を行い（ステップＳ１８）、印刷開始（スタートポタン）の受付を禁止する（ステップＳ１９）。ステップＳ１５の原稿入力方法が原稿送り装置（ＡＤＦ）の場合（ＹＥＳの場合）で、且つステップＳ１６で自動原稿送り装置のトレイ上に原稿がある場合は、正常に印刷が開始される。
【００４８】
ステップＳ１５において原稿入力方法が原稿送り装置（ＡＤＦ）ではない場合、即ち入力方法が手置きでもＡＤＦでもないとき（不定のとき）、ステップＳ３からスタートする。
【００４９】
図１３は複写、ＦＡＸ、スキャナ等の各機能部が参照／書き込みできるジョブ実行情報パラメータテーブルの概念図を示す。各機能部が参照、書き込み出来るジョブ実行情報パラメータ１５８乃至１６０が、ジョブ種別（複写、ＦＡＸ．スキャナ．．）等によって個々に存在する。パラメータ「原稿入力方法」も従来は個々に存在しており、このパラメータはジョブが切り替わる毎に不定として、クリアされていた。そこで本発明の「原稿入力方法」は、ジョブ種別に依らないパラメータとして、共用パラメータレジスタ１５７ａのように新たに設けられる。新たに設けられた共用パラメータ「原稿入力方法」は、ジョブ種別に依存しない。このため、各ジョブ間で、（１）ジョブが切り替わったとしても、原稿入力方法がクリアされず、（２）自動原稿送り装置（ＡＤＦ）を開閉したときのみ図１１のステップＳ６及びステップＳ７のようにクリアされる。
【００５０】
図１４は複写、ＦＡＸ等の機能が操作パネル９１の操作により切り替えられたときの処理を示す。この例では、図１５のように共用パラメータレジスタ１５７として「選択可能給紙段情報」１５７ｂが追加されている。
【００５１】
先ず、機能切替えキーが押下されると（ステップＳ２１）、手差しトレイ上に用紙があるか否かチェックする（ステップＳ２２）。手差しトレイ上に用紙があれば、共用パラメータレジスタとしての「選択可能給紙段情報」１５７ｂに手差しトレイ情報が追加される（ステップＳ２４）。
【００５２】
ステップＳ２３において手差しトレイ上に用紙がなく、選択可能給紙段情報１５７ｂに手差しトレイが含まれている場合は（ステップＳ２５）、ステップＳ２６で選択可能給紙段情報１５７ｂから手差しトレイを削除し、表示を更新する（ステップＳ２７）。
【００５３】
この実施例によれば機能が切り替えられたとき、例えば図９のユーザインターフェース（複写）１５３が関知しないところで手差しトレイに用紙が抜き差しされた場合でも、誤った表示／給紙段選択をすることがない。同様に、機能が切り替えられたとき、ユーザインターフェース（ＦＡＸ）１５４やユーザインターフェース（プリンタ）１５５が関知しないところで手差しトレイに用紙が抜き差しされた場合でも、誤った表示／給紙段選択をすることがない。
【００５４】
【発明の効果】
以上、説明したように、本発明の画像形成装置によれば、次のような効果を奏する。即ち、従来の画像形成装置では、同一ユーザが原稿入力する場合でも、機能を切替えを行ったときは、入力方法を再設定しなければならなかった。このため、画像入力の操作性が著しく低下していたが、本発明により、原稿入力の操作性が著しく向上する効果がある。
【００５５】
又、異なるユーザが原稿入力する際、前のユーザが「手置き」入力で複写した後に原稿を置き忘れてしまった場合、次のユーザがファックスに切り換えて「原稿送り装置入力」を行おうとしても、入力方法が引き継がれるため、自動原稿送り装置に原稿を置いた時点で、「手置き」入力を促す警告を表示することによって、誤った原稿を送信してしまうことを事前に防ぐことが可能となる。
又、ＡＤＦ入力後、原稿台、ガラス面に原稿がなく、原稿入力をスタートすると、原稿なしでＦＡＸ送信、ＰＰＣ印刷することを事前に防ぐことができる。
【図面の簡単な説明】
【図１】図１は、この発明が適用される画像形成装置としてのデジタル複写機の全体構成を概略的に示すものである。
【図２】コピー機能、ファクシミリ機能、プリンタ機能を備えたデジタル複写機の制御系の全体構成を示す。
【図３】図２のスキャナの構成を示す図。
【図４】図２の基本部ＣＰＵの構成を示す図。
【図５】図２のプリンタの構成を示す図。
【図６】図２のファクシミリの構成を示す図。
【図７】図２の操作パネルの概観図。
【図８】図７の線Ｄで囲まれている３個の表示器を詳細に示す図。
【図９】図２の画像形成装置において、本発明に係る構成部を抽出して示した図。
【図１０】原稿入力情報に関する警告の処理の一例を示すフローチャート。
【図１１】２度目以降のコピー処理の一例を示すフローチャート。
【図１２】２度目以降のコピー処理の一例を示すフローチャート。
【図１３】ＦＡＸ、スキャナ等の各機能部が参照／書き込みできるジョブ実行情報パラメータテーブルの概念図。
【図１４】複写、ＦＡＸ等の機能が操作パネル９１の操作により切り替えられたときの処理を示すフローチャート。
【図１５】ＦＡＸ、スキャナ等の各機能部が参照／書き込みできるジョブ実行情報パラメータテーブルの概念図。
【符号の説明】
１…デジタル複写機
２…スキャナ
３…プリンタ
４…自動原稿送り装置
４３…手差しトレイ
【図１】
0003745513.tif 000002
【図２】
0003745513.tif 000003
【図３】
0003745513.tif 000004
【図４】
0003745513.tif 000005
【図５】
0003745513.tif 000006
【図６】
0003745513.tif 000007
【図７】
0003745513.tif 000008
【図８】
0003745513.tif 000009
【図９】
0003745513.tif 000010
【図１０】
0003745513.tif 000011
【図１１】
0003745513.tif 000012
【図１２】
0003745513.tif 000013
【図１３】
0003745513.tif 000014
【図１４】
0003745513.tif 000015
【図１５】
0003745513.tif 000016